(57)【要約】【課題】アロマ療法の実践および／または鼻拡張の提供を行う。【解決手段】Ｕ字のそれぞれの端に突出したより広い球面状の／スフェロイドフォルダを備えたＵ字型の鼻クリップおよび／または拡張器は、それぞれの球面状のフォルダを鼻孔に設置するように設計されている。Ｕ字型クリップは鼻柱に対して、またフォルダのそれぞれは鼻中隔に対して押圧する。それぞれのフォルダ内部には芳香族化合物入りのプラスチック製の玉／シリンダーなどの香料入りピースがあり、それぞれの香料入りピースから出てくる。香料入りピースから香りが出て鼻に入りやすくするために、フォルダのそれぞれは周囲および／または反対側などにポータルが有り、フォルダの「Ｕ字」に直角である。【選択図】図１
2020065926.tif 000002
【特許請求の範囲】
【請求項１】
ユーザの鼻柱を加圧する、次を含む鼻クリップおよび／または拡張器：
鼻中隔を挟着保持するように配置された一対の自由端を有するＵ字型ベース；
それぞれがＵ字型ベースの各端に配置された２個のスフェロイドフォルダがあり、２個のスフェロイドフォルダのそれぞれに鼻クリップを付けて呼吸するユーザの鼻腔が吸入する芳香剤が入っている香料入りピース；
さらにスフェロイドフォルダが鼻クリップを付けた時に香料入りピースと鼻腔の間が閉塞されない、少なくとも２個の対向に配置されるポータルを含み；
かかるベースがユーザの鼻柱に対して上方向に押圧し；
Ｕ字型ベースが２個のスフェロイドフォルダのそれぞれの部分を保持して、かかる部分が対向して配置されたポータルの間に実質的に等距離に配置され；
かかる２個の別々のスフェロイドフォルダのそれぞれが周壁で形成され、周壁には球面状の側に開いた付加的ポータルがある。
【請求項２】
２個のスフェロイドフォルダのそれぞれに開口している円周上で離れている複数のポータルが鼻腔に香料入りピースを暴露する、請求項１に記載の鼻クリップ。
【請求項３】
香料入りピースのそれぞれが、前記の各スフェロイドフォルダに前記ポータルの少なくとも１つから内側に延びているリップを用いた方法により摩擦で固定される、請求項２に記載の鼻クリップ。
【請求項４】
香料入りピースのそれぞれが前記の各スフェロイドフォルダに長期間にわたって固定される、請求項３に記載の鼻クリップ。
【請求項５】
前記スフェロイドフォルダの前記の長期間にわたって固定される特徴から使用後には鼻クリップの処分が適当である、請求項４に記載の鼻クリップ。
【請求項６】
次を含む鼻クリップ： 
鼻クリップがユーザの鼻で使用されている時は頂部側がユーザの目の方向を向き、底部側がユーザの口の方向を向き、前面側がユーザの鼻の先端の方向を向き、かつ裏側側がユーザの頭の内部の方向を向いている頂部側、底部側、前面側、裏面側；
離れて前面側に延びている２個の別々のスフェロイドフォルダ；
底部側に延びるスフェロイドフォルダを接続しているＵ字型ベースであり、かかるＵ字型ベースがスフェロイドフォルダのそれぞれの部分と係合し、かかる部分がスフェロイドフォルダのそれぞれの前面側と裏面側の間に実質的に等間隔である；
各スフェロイドフォルダの前面側および裏面側に少なくとも１つにおいて少なくとも１個の環状ポータル；
少なくとも１個の環状ポータルが各スフェロイドフォルダの前面側と裏面側において１個ある、２個の環状ポータルを含む；
各環状ポータルはスフェロイドフォルダの１つの球面状の側を終えて、前面側または裏面側の１つで平面になる；
かかる２個の別々のスフェロイドフォルダのそれぞれが周壁で形成され、周壁には球面状の側に開いた付加的ポータルがある。
【請求項７】
香料入りピースが前記スフェロイドフォルダの１つの内部空間を少なくとも実質的または埋める香料入りピースを更に含む、請求項６に記載の鼻クリップ。
【請求項８】
鼻中隔を保持する２個の別々のスフェロイドフォルダの周壁の隣接部分は中空になるポータルはなく、また追加的なポータルは鼻中隔を保持しない２個の別々のスフェロイドフォルダの周壁の部分に位置している、請求項７に記載の鼻クリップ。
【請求項９】
Ｕ字型ベースは鼻の鼻柱に対して設置され、上方向に押圧されるのに適しており、また２個の別々のスフェロイドフォルダのそれぞれは鼻中隔に対して設置に適する、請求項８に記載の鼻クリップ。
【請求項１０】
次のステップを含む、請求項６に記載の鼻クリップの使用方法：
前記の２個の別々のスフェロイドフォルダのそれぞれに事前挿入の香料入りピースを備えた鼻クリップを用意する； 
第一の鼻孔に前記の２個の別々のスフェロイドフォルダの内の１つを、そして第二の鼻孔に別の１つを設置する。
【請求項１１】
更にＵ字型ベースを隣接させ、鼻柱に対して上方向に押圧するステップを含む、請求項１０に記載の方法。
【請求項１２】
球面状の端のそれぞれが平坦な前面側および裏側側を有し、かつ芳香の香料入りピースを出すのに適している複数のポータルが球面状の端のそれぞれの内部に長期間にわたって保たれ、その端が離れた球面状の端に開かれているＵ字型ベースを含む鼻クリップであり、
Ｕ字型ベースが球面状の端のそれぞれの部分で球面状の端を保持して、かかる部分が球面状の端のそれぞれの平坦な前面側と裏側側の間に実質的に等距離に設置されて；
かかる２個の別々のスフェロイドフォルダのそれぞれが周壁で形成され、周壁には球面状の側に開いた付加的ポータルがある。
【請求項１３】
前記の球面状の端のそれぞれが鼻孔に押し込まれる時にＵ字型ベースが鼻の鼻柱を隣接するように構成される寸法である、請求項１２に記載の鼻クリップ。
【請求項１４】
鼻呼吸すると香りが前記の香料入りピースの少なくとも１つから取り込まれる、請求項１３に記載の鼻クリップ。
【請求項１５】
Ｕ字型ベースおよび２個のスフェロイドフォルダに通じる平面で見れば鼻クリップが実質的に対照的である、請求項１に記載の鼻クリップ。
【請求項１６】
Ｕ字型ベースおよび２個のスフェロイドフォルダに通じる平面で見れば鼻クリップが実質的に対照的である、請求項６に記載の鼻クリップ。
【請求項１７】
複数のポータルが球面状の端のそれぞれの周壁に配置された複数の円周方向ポータルを含み、また球面状の端のそれぞれが鼻中隔の保持に適する部分においてポータルが無い、請求項１２に記載の鼻クリップ。
【発明の詳細な説明】
【技術分野】
【０００１】
開示技術は鼻クリップに関して、より詳しくはアロマ療法の用途に鼻の中の空気流量を増加および/または芳香族物質の香りを放出する鼻クリップに関する。
【背景技術】
【０００２】
種々のアロマおよび薬剤による臭いの改善によって、つわり症状がある妊娠女性、化学療法またはＨＩＶ治療を受けているヒト、風およびアレルギーの人、乗り物酔いになりやすい人、有毒ガスの臭いにさらされている人、臭いに過敏な人など起こる吐き気または、むかつきを緩和している。
【０００３】
アロマ療法は心身の健康のために揮発性の植物油または精油を使用して実践する。精油は植物の葉、茎、花、樹皮、根などから抽出された純粋な植物性エキスである。天然精油のアロマが脳を刺激して反応を誘発すると信じられている。しかしながらアロマ療法は癌またはエイズなどの重い病気を治すことはないが、吐き気の緩和と併せて、患者の気分を良くすることで患者の生活の質の向上に役立てることができる。アロマ療法は種々の方法でオイルを拡散して実施される。現在、多くのディフーザが販売されている。例えばスチーマ、ロウソク、粘土ポット、ランプリングなどがある。これらの製品すべてにおいて共通する欠点がある。これらはオイルの臭いを部屋または領域に拡散するので近くにいる人に影響を与えてしまう。
【０００４】
加えて混雑時または就眠中の呼吸および空気の流れは多くの人にとって問題である。しばしば睡眠時無呼吸症候群のリテーナー、呼吸マスク、薬剤、鼻内スプレー、鼻の拡張器などが鼻閉の減少、いびきの減少、鼻を通る空気の増加に使用されている（２１  ＶＦＲ  ８７４．３９００）。特に鼻の拡張器は構造異常による呼吸困難の一時的な理由、および/または減少した空気の流れに関連する鼻閉の一過性の理由からの一時的緩和を意図しているデバイスである（２１  ＶＦＲ  ８７４．３９００）。
【０００５】
このような状態の結果としてアロマ療法の実践および/または鼻拡張の提供を行う新規で向上したデバイスに対する古くからのニーズが存在する。
【発明の概要】
【発明が解決しようとする課題】
【０００６】
開示技術の実施形態におけるユーザの鼻柱に対して圧力をかける鼻クリップ/拡張器には、鼻中隔を挟着保持するように配置された一対の自由端を有するＵ字型ベースがある。Ｕ字型ベースの各端に配置された２個のスフェロイドフォルダには、そこに固定される（芳香族の）香料入りピースを格納する。芳香物質は鼻クリップを付けて呼吸するユーザの鼻腔から吸入される。さらに鼻クリップを付けた時、球面状のフォルダには香料入りピースと、それぞれの鼻腔の間の通路が閉塞されることのない、少なくとも２個の対向に配置されるポータルがある。このベースはユーザの鼻柱に対しての押圧するように構成される。
【０００７】
開示技術の実施形態において２個のスフェロイドフォルダのそれぞれに開口している円周上で離れている複数のポータルにより、鼻腔に香料入りピースを暴露する。一部の実施形態においては香料入りピースのそれぞれが各スフェロイドフォルダに摩擦で固定される。香料入りピースを取り除くには固定状態のフォルダを壊すことが通常であり、固定は長期間になり得る。このことから「長期間」とは「デバイスの取除きには溶融および改質などの特異的な手段以外の破壊的で非可逆性な方法で、デバイスが使用中であっても変わらぬ状態で設置される期間」と定義される。
【０００８】
言い換えれば開示技術の実施形態の鼻クリップには頂部側、底部側、前面側、裏面側がある。これらの側は地球の引力に対して任意であるが、前面側と裏面側が対向するように、また頂部側と底部側が対向すると理解されるべきである。前面側と裏面側は頂部側と底部側の間に位置して、これらを横断するが逆もまた同様である。つ別々のスフェロイドフォルダは離れており、また頂部側（またはデバイスの最上端）方向に延びている。スフェロイドフォルダを接続するＵ字型ベースは反対の底部側にある（またはデバイスの最下端の方向に延びている）。スフェロイドフォルダのそれぞれの前面側と裏面側の一方または両方（具体的には、デバイスの最遠の前面側および/または裏面側）に環状ポータルが付いている開示技術の実施形態においては、スフェロイドフォルダはＵ字型フォルダと比べて前面および裏面に対して外に膨らんでいる。
【０００９】
「スフェロイドフォルダ」は幾つかの実施形態において少なくとも２つの経路が連続的であり、球の枠組みとして円形突起を形成し、スフェロイドフォルダのそれぞれはポータルで切られた球面状の側を有しており、それらの前面および裏面の端はこれらの円形などのポータルが付いて平坦である「スフェロイド」として定義される。これは地球が完全な球形とした場合に地球の経線とを持つ地球と似ており、北極と南極を削っている地球の緯線と、側ポータルの作製において、両極まででなくともその方向へ延びている側ポータルが作られている。
【００１０】
開示技術の幾つかの実施形態においては、環状ポータルは各スフェロイドフォルダの前面側および裏面側のいずれにもある。開示技術の実施形態においては、各環状ポータルはスフェロイドフォルダの１つの球面状の側を終えて、前面側または裏面側の面で平面になる。開示技術の幾つかの実施形態の２つの別々のスフェロイドフォルダのそれぞれには、それらの球面状の側においても開口したポータルがある。香料入りピースは各スフェロイドフォルダ（フォルダ当たり１つの芳香の玉）により取り囲まれる空間を埋めて、それぞれのフォルダの最内連続壁により定義される内部空間を実質的または完全に埋める。更に香料入りピースは最内および／または最外連続壁を超えて外側に延びて、つまり球面状のフォルダの前面側/裏面側の端のそれぞれの環状ポータルに対して外に膨らんでもよい。開示技術の実施形態においてはスフェロイドフォルダ（単数または複数）には香りが無く、特に芳香の香りが無く、香りは香料入りピースに存在する。
【００１１】
開示技術の幾つかの実施形態においては、２つ別々のスフェロイドフォルダの隣接面にはポータルが無く、かつ付加的ポータルは２つ別々のスフェロイドフォルダの非隣接面にある。開示技術の実施形態においては、Ｕ字型ベースは鼻の鼻柱に対して設置および／または押圧するように構成され、また２個の別々のスフェロイドフォルダのそれぞれは鼻中隔に対する。
【００１２】
２個の別々のスフェロイドフォルダのそれぞれに事前挿入の香料入りピースを備えた鼻クリップを用意して、これを鼻孔（それぞれの鼻孔に１つのスフェロイドフォルダ）に設置して使用する。Ｕ字型ベースは鼻柱（２つの鼻孔の間にある鼻の底部側）に対して隣接または押圧する。この隣接または押圧は鼻クリップが鼻孔を開きながら内側方向に押すようにして、どちらの側面でも可能である。
【００１３】
さらに言い換えれば本技術はＵ字型ベースの端が平坦な前面側および裏側側を有する離れた球面状の端に繋がり、かつ球面状の端のそれぞれの内部に複数のポータルが球面状の端のそれぞれの内部に長期間にわたって固定される芳香の香料入りピースの香りを逃がすように構成されているＵ字型ベースを含む。本デバイスは球面状のそれぞれの端が鼻孔に押し込まれる時にＵ字型ベースが鼻の鼻柱を隣接または押圧するように構成される寸法である。開示技術の実施形態においては、鼻呼吸すると香りが香料入りピースの少なくとも１つから取り込まれる。
【００１４】
本明細書において特段の表示がない限り「実質的に」および「実質的に示した」は「少なくとも９０％」と定義される。デバイスはクレームの範囲により制限される本明細書に記載のデバイスを「含み」または「から成る」。
【００１５】
「および／または」が使用された場合には用語「ａおよび／またはｂ」は「ａおよびｂ」、「ａまたはｂ」、「ａ」、「ｂ」などを含めたものとして包含的に定義されると理解されるべきである。
【図面の簡単な説明】
【００１６】
【図１】図１は開示技術の実施形態の鼻クリップの透視図を示す。
【図２】図２は図１の鼻クリップの前面の平面図を示す。
【図３】図３は図１の鼻クリップの裏面の平面図を示す。
【図４】図４は図１の鼻クリップの側面図を示す。
【図５】図５は図１の鼻クリップの上面図を示す。
【図６】図６は図１の鼻クリップの底面図を示す。
【図７】図７は挿入された芳香の玉入りの図１の鼻クリップの透視図を示す。
【図８】図８は鼻クリップから芳香の玉を離して示している図７の鼻クリップの透視図を示す。
【図９】図９は開示技術の実施形態の鼻腔に挿入された図１の鼻クリップを示す。
【発明を実施するための形態】
【００１７】
Ｕ字のそれぞれの端に突出したより広い球面状の／スフェロイドフォルダを備えたＵ字型の鼻クリップは、それぞれの球面状のフォルダを鼻孔に設置するように設計されている。Ｕ字型クリップは 鼻柱に対して、またフォルダのそれぞれは鼻中隔に対して押圧する。それぞれのフォルダ内部には芳香族化合物入りのプラスチック製の玉／シリンダーなどの香料入りピースがあり、それぞれの香料入りピースから出てくる。香料入りピースから香りが出て鼻に入りやすくするために、フォルダのそれぞれは周囲および／または反対側などにポータルが有り、フォルダの「Ｕ字」に直角である。
【００１８】
開示技術の実施形態は図に関する次の説明によりより明らかになる。
【００１９】
図１は開示技術の実施形態の鼻クリップ１の透視図を示す。スフェロイドフォルダ１０および２０（外側を指し示す線が付いている）は、前面側および裏面側ポータル４０により切られた部分的に球状の外側を備える。円形開口を形成している前面側および裏面側ポータ４０は球の縦線で「切り落とし」または切断がなされている。これらの側面にも、それぞれがスフェロイドフォルダ１０および２０の球状になっている外側への開口が形成された１つ以上のポータル１４および２４を備える。Ｕ字型コネクタ３０／３２／３４は徐々に側領域３２および３４になってゆく中間領域３０を備えている。側領域３２および３４の最先端は、接続領域１６および２６のそれぞれでスフェロイドフォルダ１０および２０のそれぞれと一体構造を形成する。開示技術の幾つかの実施形態では接続領域１６および２６のそれぞれでの鼻フォルダの断面積の寸法が大きくなってゆき、スフェロイドフォルダがＵ字型コネクタ３２／３４（領域）と比べて全ての側面でより幅広である。
【００２０】
このことからＵ字型コネクタの側領域３２および３４は非閉鎖型であり、鼻孔の間の鼻の底部に対して、つまり鼻柱に対してＵ字型コネクタの中間領域３０を押圧できる。加えて開示技術の幾つかの実施形態では、スフェロイドフォルダ１０および２０のそれぞれの内壁１２および２２のそれぞれは球の一部を形成する。
【００２１】
図２は図１の鼻クリップの前面の平面図を示す。この図ではデバイスはＵ字型コネクタの中間領域３０を中心にして同じ形であり、左右対称である。下に平面があって平行であれば横方向に左右対称になっているので、コネクタを等しく半分に分けるようになる。
【００２２】
加えてスフェロイドフォルダ１０および２０のそれぞれの前面側および裏面側上のポータル４０は開示技術の幾つかの実施形態において同一であり、香料入りピースが入っていない時には一方から他方まで通して見える。
【００２３】
図３は図１の鼻クリップの裏面の平面図を示す。ここでは側ポータル１４および２４が示される。図中では１つの側ポータルのみに番号が付いているが、その他の側ポータルも参照していると理解されるべきである。
【００２４】
図４は図１の鼻クリップの側面図を示す。スフェロイドフォルダ２０の中の１の外側が図中に目立つように示されている。側ポータル２４を更に見ることができ、スフェロイドフォルダの内部と、その内壁２２が見える。スフェロイドフォルダ２０の下には接続領域２６があり、スフェロイド状から矩形、曲線、および/または平坦な先端、さらにはコネクタの側領域３４の残り部分へと変化する。
【００２５】
図５は図１の鼻クリップの上面図を示す。図６は図１の鼻クリップの底面図を示す。デバイスを下から見た時にスフェロイドコネクタ１０および２０が、コネクタに交わる領域全体においてスフェロイドフォルダ１０および２０が見えて、スフェロイドフォルダ１０および２０はＵ字型コネクタより広いことに留意するべきである。
【００２６】
図７は挿入された芳香のピース入りの図１の鼻クリップの透視図を示す。香料入りピース４５は当技術分野で周知の芳香族化合物で充満したプラスチックまたは樹脂で作られる。芳香族化合物としては（体への医学的効果が知られている）医薬品を追加してよい。これらのピース４５は挿入されるか、または別の方法でスフェロイドフォルダ１０および２０のそれぞれの内部空間内に設置される。香りは香料入りピース４５のそれぞれから鼻クリップのポータル４０および１４を通して出てくる。開示技術の幾つかの実施形態では、香料入りピース４５は鼻クリップ内に長時間にわたって設置される。鼻クリップ１の形成時に芳香の玉が設置されて、香料入りピースの隣接面と比べて開口でより小さい各ポータルで塞がれて、ここから香料入りピース４５が出るのを防止する。例えば前面および／または裏面ポータル４０には香料入りピース４５の隣接端、コーナー、または最も近い外部分をカバーする内部リップが備えられる。
【００２７】
図８は鼻クリップから芳香の玉を離して示している図７の鼻クリップの透視図を示す。ここでは香料入りピース４５は円筒形状であり、収容用の内部円筒壁があるスフェロイドフォルダ１０および２０の内壁内に適合する。ポータル４０にあるリップ４１により、穴に押し入れた後の香料入りピースの離脱が防止される。
【００２８】
図９は開示技術の実施形態の鼻腔に挿入された図１の鼻クリップを示す。鼻９０は２つの鼻孔の間の鼻柱を伴う底部側９２を有する。鼻クリップ１はスフェロイドフォルダ１０および２０が鼻孔の中にあるように鼻孔のそれぞれに入れられて、鼻中隔と接触して、また幾つかの実施形態では鼻中隔または鼻柱の両側を押圧する。Ｕ字型コネクタは鼻の外側にあるＵ字型コネクタの中間領域３０を備えており、部分的に鼻孔９４および９６内にあり、また部分的に鼻９０の外にある。フェロイドフォルダ１０および２０に接続して、側領域（３２および３４）に対して直角で、この中間領域３０は鼻柱に対して押圧する。
【００２９】
本開示技術が特に上記の態様に関連して実践されているが、当業者は変更が開示技術の趣旨および範囲から逸脱することなく、形式上および細部において成され得ると認識する。前述の態様はあらゆる点で単なる例示にすぎず、限定的に解釈してはならない。特許請求の範囲の均等範囲に属する変形や変更は、すべて本発明の範囲内のものである。上述の方法および装置の任意の組み合わせも考慮され、本発明の範囲内である。
【符号の説明】
【００３０】
１  鼻クリップ
１０  スフェロイドフォルダ
１４  ポータル
２０  スフェロイドフォルダ
２４  ポータル
３０  Ｕ字型コネクタ
３２  Ｕ字型コネクタ
３４  Ｕ字型コネクタ
４０  ポータル
４１  リップ
４５  香料入りピース
９０  鼻
９４  鼻孔
【図１】
2020065926.tif 000003
【図２】
2020065926.tif 000004
【図３】
2020065926.tif 000005
【図４】
2020065926.tif 000006
【図５】
2020065926.tif 000007
【図６】
2020065926.tif 000008
【図７】
2020065926.tif 000009
【図８】
2020065926.tif 000010
【図９】
2020065926.tif 000011